(57)【要約】【課題】安全でかつ容易に水銀灯の交換をなしうる脱着装置２の提供。【解決手段】この脱着装置２は、シャフト４と、このシャフト４の先端に取り付けられており水銀灯が嵌め込まれるホルダー６とを備える。ホルダー６は、水銀灯をこのホルダー６の内側に導き入れる開口部１２を備える。開口部１２は、複数のローラー２４と、これらローラー２４を内向きに付勢しうる弾性体２２とを備える。それぞれのローラー２４は、水銀灯の嵌入時に、この水銀灯に当接しつつ回転しうる。好ましくは、上記ローラー２４は、主軸３０とこの主軸３０の両側に配置された一対の鍔板３２とを備える。上記水銀灯の嵌入時に、それぞれの鍔板３２の内縁が水銀灯に当接しうる。好ましくは、上記弾性体２２は、一のローラー２４とこの一のローラー２４の隣に位置する他のローラー２４との間を架け渡す引張バネである。【選択図】図１
2012119178.tif 000002
【特許請求の範囲】
【請求項１】
シャフトと、このシャフトの先端に取り付けられており水銀灯が嵌め込まれるホルダーとを備えており、
このホルダーが、この水銀灯をこのホルダーの内側に導き入れる開口部を備えており、
この開口部が、複数のローラーと、これらローラーを内向きに付勢しうる弾性体とを備えており、
それぞれのローラーが、この水銀灯の嵌入時に、この水銀灯に当接しつつ回転しうる、水銀灯用脱着装置。
【請求項２】
上記ローラーが、主軸とこの主軸の両側に配置された一対の鍔板とを備えており、
上記水銀灯の嵌入時に、それぞれの鍔板の内縁がこの水銀灯に当接しうる、請求項１に記載の水銀灯用脱着装置。
【請求項３】
上記弾性体が、一のローラーとこの一のローラーの隣に位置する他のローラーとの間を架け渡す引張バネである、請求項１又は２に記載の水銀灯用脱着装置。
【発明の詳細な説明】
【技術分野】
【０００１】
本発明は、水銀灯の脱着装置に関する。
【背景技術】
【０００２】
照明用の電球は、交換作業を行う者（以下、作業者）の手の届かない位置にあることが多い。このため、作業者は、脚立、椅子等に乗らなければ、作業ができないことがある。この場合、足場が不安定であると、作業者はバランスを崩して落下することがある。この交換作業は、危険を伴う。
【０００３】
上記交換作業を手回しで行う場合には、作業者は自らの頭を後へ反らした状態でこの作業を行うこととなる。このような姿勢を維持して作業を続けるのは、容易ではない。しかも、電球を素手で触ると、火傷をする恐れがある。
【０００４】
電球の交換作業が安全にかつ容易に行われうるという観点から、この交換作業に使用される治工具について様々な検討がなされている。この検討例が、実用新案登録第３１４９１５７号公報、特開２００４−１１１２２２公報及び特開２００７−１４９５０２公報に開示されている。
【先行技術文献】
【特許文献】
【０００５】
【特許文献１】実用新案登録第３１４９１５７号公報
【特許文献２】特開２００４−１１１２２２公報
【特許文献２】特開２００７−１４９５０２公報
【発明の概要】
【発明が解決しようとする課題】
【０００６】
ガソリンスタンドのような屋外施設においては、照明用の電球として、主に水銀灯が用いられる。水銀灯は、屋内施設に用いられる電球よりも遙か高い位置にある。この水銀灯の交換は、容易ではない。
【０００７】
感電防止及び軽量化の観点から、電球の交換作業に、プラスチック製の治工具が用いられることがある。水銀灯は、使用により発熱する。このため、水銀灯の交換にプラスチック製の治工具を使用すると、治工具が溶融し、水銀灯の交換ができなくなる場合がある。しかも、高い温度を有する水銀灯を手回しで交換するのは危険である。
【０００８】
本発明の目的は、安全でかつ容易に水銀灯の交換をなしうる脱着装置の提供にある。
【課題を解決するための手段】
【０００９】
本発明に係る水銀灯用脱着装置は、シャフトと、このシャフトの先端に取り付けられており水銀灯が嵌め込まれるホルダーとを備えている。このホルダーは、この水銀灯をこのホルダーの内側に導き入れる開口部を備えている。この開口部は、複数のローラーと、これらローラーを内向きに付勢しうる弾性体とを備えている。それぞれのローラーは、この水銀灯の嵌入時に、この水銀灯に当接しつつ回転しうる。
【００１０】
好ましくは、この水銀灯用脱着装置では、上記ローラーは、主軸とこの主軸の両側に配置された一対の鍔板とを備えている。上記水銀灯の嵌入時に、それぞれの鍔板の内縁がこの水銀灯に当接しうる。
【００１１】
好ましくは、この水銀灯用脱着装置では、上記弾性体は、一のローラーとこの一のローラーの隣に位置する他のローラーとの間を架け渡す引張バネである。
【発明の効果】
【００１２】
本発明に係る脱着装置によれば、水銀灯の交換作業が安全でかつ容易になされうる。
【図面の簡単な説明】
【００１３】
【図１】図１は、本発明の一実施形態に係る水銀灯用脱着装置が示された正面図である。
【図２】図２は、図１の脱着装置の一部が示された拡大正面図である。
【図３】図３は、図１の脱着装置が示された平面図である。
【図４】図４は、図１の脱着装置の使用状態が示された平面図である。
【図５】図５は、図４のＶ−Ｖ線に沿った断面図である。
【発明を実施するための形態】
【００１４】
以下、適宜図面が参照されつつ、好ましい実施形態に基づいて本発明が詳細に説明される。
【００１５】
図１に示された脱着装置２は、水銀灯の交換作業に用いられる。脱着装置２は、シャフト４とホルダー６とを備えている。
【００１６】
シャフト４は、棒８とグリップ１０とから構成されている。このシャフト４には、高所での作業が考慮されて、長尺の棒８が用いられている。このシャフト４に、短尺の棒８が用いられてもよい。このシャフト４に、長さ調節が可能な構成とされた棒８が用いられてもよい。この棒８の長さは、交換される水銀灯の高さによって適宜決められる。
【００１７】
この脱着装置２では、棒８は、丸棒材からなる。軽量化の観点から、この棒８はパイプとされるのが好ましい。剛性の観点から、この棒８の材質としては金属が好ましい。この金属としては、スチール及びアルミニウム合金が例示される。軽量化の観点から、この金属としてはアルミニウム合金が好ましい。
【００１８】
グリップ１０は、棒８の下端に取り付けられている。交換作業において、作業者はこのグリップ１０を握る。このグリップ１０の形状は、作業者の握りやすさが考慮され適宜決められる。
【００１９】
図２及び図３に示されているのは、この脱着装置２のホルダー６である。ホルダー６は、シャフト４の上端に取り付けられている。このホルダー６に、水銀灯が嵌め込まれる。ホルダー６は、開口部１２と、ジョイント１４と、ジャケット１６とを備えている。
【００２０】
開口部１２は、ホルダー６の上側に位置している。水銀灯がホルダー６に嵌め込まれる時、水銀灯はこの開口部１２の内側を通過する。
【００２１】
開口部１２は、リング１８と、複数のガイド２０と、複数の弾性体２２とを備えている。この脱着装置２では、このリング１８の材質は、金属である。この金属としては、スチール及びアルミニウム合金が例示される。軽量化の観点から、この金属としてはアルミニウム合金が好ましい。
【００２２】
図示されているように、この脱着装置２の開口部１２には、４のガイド２０が設けられている。これらガイド２０は、リング１８に沿って等間隔に配置されている。これらガイド２０は、同一円周上に位置している。各ガイド２０は、リング１８に固定されている。
【００２３】
この脱着装置２では、ガイド２０は、ローラー２４と、支柱２６と、フレーム２８とを備えている。ローラー２４は、主軸３０と、この主軸３０の両側に配置された一対の鍔板３２とを備えている。主軸３０は、丸棒である。主軸３０は、左右の鍔板３２に挟まれている。各鍔板３２は、ディスクである。鍔板３２は、主軸３０の外径よりも大きな外径を有している。この脱着装置２では、鍔板３２の一部が主軸３０の側面よりも突出している。
【００２４】
支柱２６は、上下方向に延在する棒状の部材からなる。この支柱２６は、その下側の部分においてリング１８にネジ３４ａで固定されている。支柱２６の上側の部分が、リング１８から突出している。この脱着装置２では、この支柱２６の材質は金属である。この金属としては、スチール及びアルミニウム合金が例示される。軽量化の観点から、この金属としてはアルミニウム合金が好ましい。
【００２５】
この脱着装置２では、フレーム２８は、メインプレート３６と、一対の第一サイドプレート３８ａと、一対の第二サイドプレート３８ｂとを備えている。メインプレート３６は、左右方向に延在している。それぞれの第一サイドプレート３８ａは、メインプレート３６の端から上向きに延在している。図２及び図３に示されているように、両第一サイドプレート３８ａの間に前述のローラー２４が配置されている。
【００２６】
図示されていないが、第一サイドプレート３８ａ及びローラー２４のそれぞれには左右方向に貫通する孔が設けられている。この脱着装置２では、これら孔に第一ロッド４０ａが通され、ローラー２４がフレーム２８に固定されている。ローラー２４は、この第一ロッド４０ａを軸として回転しうる。図中、両矢印Ａで示された方向がローラー２４の回転方向である。
【００２７】
それぞれの第二サイドプレート３８ｂは、左右方向において、前述の第一サイドプレート３８ａの内側に位置している。各第二サイドプレート３８ｂは、メインプレート３６から下向きに延在している。図２に示されているように、両第二サイドプレート３８ｂの間に前述の支柱２６が配置されている。
【００２８】
図示されていないが、第二サイドプレート３８ｂ及び支柱２６のそれぞれには左右方向に貫通する孔が設けられている。この脱着装置２では、これら孔に第二ロッド４０ｂが通され、フレーム２８が支柱２６に固定されている。フレーム２８は、この第二ロッド４０ｂを中心にして動きうる。この脱着装置２では、フレーム２８は支柱２６に対して回動しうる。
【００２９】
この脱着装置２では、フレーム２８の材質は金属である。この金属としては、スチール及びアルミニウム合金が例示される。軽量化の観点から、この金属としてはアルミニウム合金が好ましい。
【００３０】
図示されているように、この脱着装置２の開口部１２には、４の弾性体２２が設けられている。各弾性体２２は、一のローラー２４と、この一のローラー２４の隣に位置する他のローラー２４との間に位置している。この弾性体２２の両端はそれぞれ、ガイド２０の第一サイドプレート３８ａの側面に設けられたフック４２としてのネジに掛けられている。この弾性体２２は、一のローラー２４と、この一のローラー２４の隣に位置する他のローラー２４との間を架け渡している。
【００３１】
ジョイント１４は、本体４４とストッパー４６とを備えている。本体４４は、受口４８と、孔５０とを備えている。受口４８は、この本体４４の下側から上方に向かって延在している。この受口４８に、シャフト４の棒８が差し込まれる。小ネジ５２を締め付けることにより、この棒８がジョイント１４に固定される。孔５０は、ジョイント１４の本体４４を貫通している。この孔５０は、上下方向に延在している。
【００３２】
この脱着装置２では、ジョイント１４の本体４４の材質は金属である。この金属としては、スチール及びアルミニウム合金が例示される。軽量化の観点から、この金属としてはアルミニウム合金が好ましい。
【００３３】
この脱着装置２では、ジョイント１４の本体４４はディスク５４、ブロック５６及びパイプ５８から構成されている。ディスク５４は、ブロック５６の上側に位置している。ディスク５４は、このブロック５６の上面に積層されている。ブロック５６の下側には、下向きに突出する凸部６０が設けられている。パイプ５８は、この凸部６０に嵌め込まれている。これにより、前述のシャフト４が差し込まれる受口４８が構成されている。この脱着装置２では、受口４８に差し込まれた棒８は、その先端において凸部６０に当接する。図示されているように、このブロック５６には穴６２ａが開けられている。図示されていないが、ディスク５４にも上下方向に貫通する穴が開けられている。これら穴６２ａは、脱着装置２の軽量化に寄与しうる。
【００３４】
ストッパー４６は、当接部６４とシャンク６６とを備えている。当接部６４は、ディスク状を呈している。後述するが、この当接部６４に水銀灯が当接する。シャンク６６は、当接部６４の下面から下向きに延在している。このシャンク６６が、前述のジョイント１４の本体４４に設けられた孔５０に通される。この脱着装置２では、シャンク６６の側面には雄ネジが設けられている。孔５０には、この雄ネジに対応する雌ネジが設けられている。シャンク６６は、孔５０にねじ込まれうる。この脱着装置２では、当接部６４はジョイント１４の本体４４に対して上下方向に移動しうる。
【００３５】
この脱着装置２では、当接部６４はメインディスク６８と緩衝ディスク７０とから構成されている。このメインディスク６８は、前述のシャンク６６と一体をなすものである。このメインディスク６８とシャンク６６とは、合成樹脂製の部材を旋盤を用いて削り出すことにより形成されている。緩衝ディスク７０は、メインディスク６８の上面に積層されている。緩衝ディスク７０は、多孔質体からなる。図示されていないが、この多孔質体はその内部に多数の気泡を有している。この気泡は、連続気泡である。この脱着装置２では、スポンジが多孔質体として用いられている。
【００３６】
ジャケット１６は、開口部１２とジョイント１４との間に位置している。ジャケット１６は、その上側において、開口部１２のリング１８にネジ３４ｂで固定されている。このジャケット１６は、その下側において、ジョイント１４の本体４４の一部をなすディスク５４にネジ３４ｂで固定されている。この脱着装置２では、開口部１２、ジャケット１６及びジョイント１４から、碗状のホルダー６が構成されている。
【００３７】
この脱着装置２では、ジャケット１６の材質は金属である。この金属としては、スチール及びアルミニウム合金が例示される。軽量化の観点から、この金属としてはアルミニウム合金が好ましい。
【００３８】
図示されているように、この脱着装置２では、ジャケット１６は４枚のプレート７２から構成されている。各プレート７２には、２つの穴６２ｂが開けられている。これら穴６２ｂは、脱着装置２の軽量化に寄与しうる。なお、このジャケット１６が１枚のプレート７２から構成されてもよい。このジャケット１６が、２又は３枚のプレート７２から構成されてもよい。このジャケット１６が、５枚以上のプレート７２から構成されてもよい。このジャケット１６の構成は、脱着装置２の仕様等が考慮され、適宜決められる。
【００３９】
図４及び図５には、脱着装置２の使用状態が示されている。この脱着装置２のホルダー６には、水銀灯７４が嵌め込まれている。使用状態にある脱着装置２では、ローラー２４が水銀灯７４の側面に当接している。図示されているように、ローラー２４の最も内側に位置する面（符号Ｑで示されている部分、以下、内面Ｑ）が水銀灯７４に当接する。
【００４０】
図４において、二点鎖線で示されているのは、未使用状態の脱着装置２におけるローラー２４である。符号Ｐで示されているのは、水銀灯７４の最大径を示す位置である。
【００４１】
前述したように、この脱着装置２では、フレーム２８は支柱２６に対して回動しうる。このため、ホルダー６に水銀灯７４が嵌め込まれると、ローラー２４が外向きに移動する。この脱着装置２では、使用によりホルダー６の開口部１２が拡径しうる。
【００４２】
この脱着装置２では、開口部１２が拡径すると、一のローラー２４と、この一のローラー２４の隣に位置する他のローラー２４との間隔が拡がる。これにより、両ローラー２４の間に架け渡されている弾性体２２が引き延ばされる。
【００４３】
弾性体２２は、荷重が付与されると変形し、この荷重が除去されると復元しうるように構成されている。この脱着装置２では、各弾性体２２がそれぞれのローラー２４を内向きに付勢しうる。周囲に位置するローラー２４が水銀灯７４を締め付けるので、この水銀灯７４はホルダー６に安定に保持されうる。
【００４４】
この脱着装置２では、ホルダー６が水銀灯７４を確実に保持しうるという観点から、弾性体２２は引張バネとされるのが好ましい。なお、弾性体２２としてねじりバネを用い、前述の支柱２６ではなく、このねじりバネを介してフレーム２８がリング１８に固定されてもよい。この場合においても、各弾性体２２がそれぞれのローラー２４を内向きに付勢しうるので、ホルダー６は水銀灯７４を安定に保持しうる。
【００４５】
この脱着装置２では、主軸３０の両側に位置する鍔板３２の内縁が水銀灯７４に当接している。この脱着装置２では、ローラー２４が局部的に水銀灯７４に当接している。これにより、ローラー２４が水銀灯７４を押さえつける力が効果的に高められている。この脱着装置２では、ホルダー６が水銀灯７４を安定に保持しうる。
【００４６】
この脱着装置２では、複数のローラー２４が各ローラー２４の一部をなす２つの鍔板３２において水銀灯７４を押さえつけている。この脱着装置２では、ホルダー６が水銀灯７４を安定に保持しうる。ホルダー６が水銀灯７４をより安定に保持しうるという観点から、２本以上のローラー２４を用いて、４箇所以上で水銀灯７４を支持するのが好ましい。図５に示されているように、４本のローラー２４を用いて、８箇所で水銀灯７４を支持するのが特に好ましい。
【００４７】
図４において、両矢印Ｄで示されているのは水銀灯７４を収容しうるホルダー６の深さである。この深さＤは、ローラー２４の内面Ｑからストッパー４６の上面７６までの長さを計測することにより得られる。この計測は、水銀灯７４が嵌め込まれていない状態で実施される。両矢印Ｈは、水銀灯７４の先端７８からこの水銀灯７４の最大径を示す位置Ｐまでの高さを表している。
【００４８】
この脱着装置２では、好ましくは、深さＤは高さＨよりも大きい。これにより、水銀灯７４は、その最大径を示す位置Ｐがローラー２４の内面Ｑよりも下側に位置した状態で、ホルダー６に保持される。この脱着装置２では、ホルダー６に嵌め込まれた水銀灯７４は脱けにくい。この脱着装置２によれば、水銀灯７４はホルダー６に安定に保持されうる。
【００４９】
この脱着装置２を用いて、水銀灯７４は次のようにして交換されうる。脱着装置２の開口部１２を上にして、頭上に位置する水銀灯７４に向かってホルダー６が上昇させられる。これにより、ローラー２４の内面Ｑが水銀灯７４に当接する。水銀灯７４は、その外径が下から上に向かって大きくなるように構成されている。このため、ホルダー６を水銀灯７４にさらに嵌め込むと、ローラー２４は徐々に外側に移行していく。前述したように、この脱着装置２では、ローラー２４は回転しうる。図４に示されているように、ホルダー６を水銀灯７４に嵌め込むとき、ローラー２４は矢印Ａ１で示された方向（正転方向Ａ１）に回転しうる。この脱着装置２では、各ローラー２４が、水銀灯７４の嵌入時にこの水銀灯７４に当接しつつ回転しうる。この脱着装置２によれば、水銀灯７４がホルダー６に円滑に嵌め込まれうる。
【００５０】
この脱着装置２では、ローラー２４はゴム製である。換言すれば、このローラー２４は架橋ゴムからなる。このため、この脱着装置２を高い温度を有する水銀灯７４の交換に使用しても、ローラー２４が溶融することはない。この脱着装置２によれば、水銀灯７４の交換に際し、水銀灯７４を十分に冷却させる必要がない。この脱着装置２では、水銀灯７４の交換が迅速になされうる。
【００５１】
この脱着装置２では、ホルダー６に嵌め込まれた水銀灯７４の先端７８は、ストッパー４６に当接しうる。このストッパー４６は、水銀灯７４のホルダー６内部への過剰な挿通を防止しうる。
【００５２】
前述したように、この脱着装置２では、ストッパー４６の一部をなす緩衝ディスク７０は多孔質体からなる。この緩衝ディスク７０は、水銀灯７４がこのストッパー４６に当接した時における衝撃を緩和しうる。緩衝ディスク７０は、水銀灯７４の破損を防止しうる。
【００５３】
この脱着装置２では、水銀灯７４が当接するのは、ローラー２４及びストッパー４６である。前述したように、ローラー２４は架橋ゴムからなり、ストッパー４６は樹脂からなる。ローラー２４及びストッパー４６は、絶縁性を有している。この脱着装置２は、作業者の感電を防止しうる。この脱着装置２では、水銀灯７４の交換が安全になされうる。
【００５４】
この脱着装置２では、水銀灯７４にホルダー６が嵌め込まれると、シャフト４を中心にしてホルダー６が回される。ホルダー６が水銀灯７４を安定に保持しているので、水銀灯７４はホルダー６とともに回転する。この回転により、水銀灯７４がそのソケット（図示されず）からとり外される。この取り外しは、容易である。この脱着装置２によれば、水銀灯７４の交換作業が容易になされうる。
【００５５】
この脱着装置２では、ソケットから取り外された水銀灯７４は、ホルダー６から引き抜かれる。このとき、ローラー２４が正転方向Ａ１とは逆向きに回転しうる。この脱着装置２によれば、水銀灯７４のホルダー６からの引き抜きも容易である。この脱着装置２によれば、水銀灯７４の交換作業が容易になされうる。
【００５６】
水銀灯７４が引き抜かれたホルダー６には、別の新しい水銀灯７４が嵌め込まれる。この水銀灯７４が天井のソケット（図示されず）に取り付けられ、交換作業は終了する。
【００５７】
このように、この脱着装置２によれば、水銀灯７４の交換作業が容易になされうる。しかも、手回しが不要であるので、作業者が火傷を負う恐れも感電する恐れもない。この脱着装置２によれば、安全に水銀灯７４の交換がなされうる。
【００５８】
この脱着装置２では、ストッパー４６の当接部６４の位置が調整可能である。この脱着装置２では、ホルダー６の深さＤを水銀灯７４の大きさに応じて変更することができる。換言すれば、この脱着装置２は、大きさの異なる水銀灯７４に対しても適用できる。この脱着装置２は、汎用性に優れる。
【産業上の利用可能性】
【００５９】
以上説明された脱着装置は、様々な電球の交換にも適用されうる。
【符号の説明】
【００６０】
２・・・脱着装置
４・・・シャフト
６・・・ホルダー
１２・・・開口部
１４・・・ジョイント
１６・・・ジャケット
２２・・・弾性体
２４・・・ローラー
３０・・・主軸
３２・・・鍔板
４６・・・ストッパー
４８・・・受口
５０・・・孔
６４・・・当接部
６６・・・シャンク
７４・・・水銀灯
【図１】
2012119178.tif 000003
【図２】
2012119178.tif 000004
【図３】
2012119178.tif 000005
【図４】
2012119178.tif 000006
【図５】
2012119178.tif 000007